(57)【特許請求の範囲】
【請求項１】
シートを搬送する搬送回転体と、
前記搬送回転体を駆動する駆動手段と、
前記駆動手段の駆動を前記搬送回転体に伝達する駆動伝達手段と、を備え、
前記駆動伝達手段は、
前記駆動手段により回転する第１回転部材と、
前記搬送回転体と共に回転する第２回転部材と、
前記第１回転部材及び前記第２回転部材が、互いに独立して回転可能に支持される軸と、
前記軸に軸方向に移動可能に設けられ、前記第１回転部材と一体的に回転する駆動伝達部材と、
前記駆動伝達部材を、前記第２回転部材と係合して前記第１回転部材の回転を前記第２回転部材に伝達する駆動伝達位置及び前記第２回転部材との係合が解除されて前記第２回転部材への前記第１回転部材の回転の伝達を解除する駆動伝達解除位置に移動させる移動手段と、
前記搬送回転体により搬送されるシートが通過するシート搬送路を開放するために開閉可能な開閉部材と、
を備え、
前記移動手段は、前記開閉部材が閉められた状態のとき前記駆動伝達部材を前記駆動伝達位置に保持し、前記開閉部材が開放される際、前記開閉部材の開放に連動して前記駆動伝達部材を前記駆動伝達位置から前記駆動伝達解除位置に移動することを特徴とするシート搬送装置。
【請求項２】
前記移動手段は、前記開閉部材が閉められた状態のとき前記駆動伝達部材の軸方向の一端部を前記第１回転部材から前記第２回転部材の方向に突出させて前記第２回転部材と係合させ、前記開閉部材が開放されると前記駆動伝達部材を突出方向と逆の退避方向に移動させて前記一端部の前記第２回転部材との係合を解除することを特徴とする請求項１記載のシート搬送装置。
【請求項３】
前記移動手段は、
前記駆動伝達部材を支持する支持部材と、
前記開閉部材の開閉に連動して前記支持部材と一体的に前記駆動伝達部材を移動させる連動部材と、
前記駆動伝達部材及び前記支持部材の間に設けられ、前記駆動伝達部材を前記支持部材に対し軸方向に相対移動可能に前記第２回転部材に向けて付勢する付勢手段と、を備え、
前記開閉部材が閉められると前記連動部材が第１方向に移動して前記駆動伝達部材を前記付勢手段により付勢された状態で前記駆動伝達位置に位置させ、前記開閉部材が開放されると前記連動部材が第２方向に移動して前記駆動伝達部材を前記駆動伝達解除位置に移動させることを特徴とする請求項２記載のシート搬送装置。
【請求項４】
前記連動部材を付勢し、前記開閉部材が開放される際、前記連動部材を前記駆動伝達部材が前記駆動伝達解除位置に位置する第１位置に移動させる連動部材付勢手段を備え、
前記連動部材は、前記開閉部材が閉められる際、前記連動部材付勢手段に抗して前記駆動伝達部材を前記駆動伝達位置に位置させる第２位置に移動することを特徴とする請求項３記載のシート搬送装置。
【請求項５】
前記連動部材は、前記軸と直交する揺動軸を中心に揺動可能に設けられ、
一方の揺動端には前記第１位置及び前記第２位置に移動する際、前記支持部材と係合する係合部が形成され、他方の揺動端には前記開閉部材が閉められた状態で前記開閉部材と係合し、前記連動部材の前記連動部材付勢手段による前記第１位置への移動を規制する規制部が形成されていることを特徴とする請求項４記載のシート搬送装置。
【請求項６】
前記第１回転部材には前記駆動伝達部材の一端部が挿通される開口部が形成され、
前記第２回転部材には前記開口部に挿通されて前記第１回転部材から突出した前記駆動伝達部材の一端部と係合する係合部が形成されることを特徴とする請求項２乃至５のいずれか１項に記載のシート搬送装置。
【請求項７】
前記駆動伝達部材の一端部は、突出方向下流側の方が突出方向上流側よりも狭くなるように形成されたテーパ面を有することを特徴とする請求項２乃至６のいずれか１項に記載のシート搬送装置。
【請求項８】
シートの画像を読み取る画像読み取り手段と、
前記画像読み取り手段により画像が読み取られるシートを搬送する請求項１乃至７の何れか１項に記載のシート搬送装置と、を備えることを特徴とする画像読取装置。
【請求項９】
シートに画像を形成する画像形成部と、
前記画像形成部により画像が形成されたシートを搬送する請求項１乃至７の何れか１項に記載のシート搬送装置と、を備えることを特徴とする画像形成装置。
【発明の詳細な説明】
【技術分野】
【０００１】
本発明は、シート搬送装置、画像読取装置及び画像形成装置に関する。
【背景技術】
【０００２】
従来、プリンタ、ファクシミリ、複写機等の画像形成装置は、シートを搬送するシート搬送装置を備えている。また、従来の画像形成装置において、画像読取手段によりシートである原稿の画像を光学的に読み取る画像読取装置を備えたものがある。
【０００３】
画像読取装置としては、画像読取装置本体の上部にピックアップローラにより積載トレイから分離部に原稿を送り込み、分離部で原稿を捌いて１枚ずつ搬送するシート搬送装置であるＡＤＦ（Ａｕｔｏ  Ｄｏｃｕｍｅｎｔ  Ｆｅｅｄｅｒ）を有するものがある。この画像読取装置では、搬送された原稿を、ＡＤＦに設けられたプラテンローラと画像読取装置本体の上面に設けられた流し読みガラスとの間を通過させ、この際、画像読取手段により原稿画像を読み取る。
【０００４】
このようなＡＤＦ等のシート搬送装置は、シートを搬送するため、シート搬送路に搬送回転体である搬送ローラ対を設け、この搬送ローラ対に駆動伝達手段を介してモータ等の駆動手段からの駆動を伝達することにより搬送ローラ対を回転させる。
【０００５】
ところで、シートを搬送する際、搬送ローラ対により挟持された状態でシートのジャム（紙詰まり）が発生する場合があり、この場合、ユーザは駆動手段を停止した状態で搬送ローラ対を回転させながらシートを引き抜く。しかし、駆動手段を停止した場合でも、搬送ローラ対には駆動伝達手段を介して駆動手段の負荷が掛かっているので、搬送ローラ対を回転させながらシートを引き抜く際、シートに破れや皺などダメージが発生する。また、負荷が大きい場合には、搬送ローラ対を回転させることなくシートを引き抜くようになり、この場合、シートによりローラ表面が摩耗する。
【０００６】
そこで、ダメージが発生することなく、またローラ表面が摩耗することなくシートを引き抜くための構成として、ジャムしたシートを処理するため扉等のカバー部材を開放すると、搬送ローラ対に対する駆動伝達が解除されるようにしたものがある。このように構成することにより、搬送ローラ対を回転させるための負荷を低減させることができ、ダメージ等を発生することなくシートを引き抜くことができる。
【０００７】
このような構成のシート搬送装置として、カバー部材の開放と連動して駆動手段によって駆動される駆動側のギアをスライドさせ、搬送ローラ対へ駆動を伝達する伝達側のギアへの駆動伝達を解除する駆動伝達解除手段を備えたものがある（特許文献１参照）。この駆動伝達解除手段は、カバー部材が閉められている状態のときには、駆動側のギアを伝達側のギアに噛合させる駆動伝達位置に位置している。そして、ガイドが開放されると、駆動伝達解除手段はカバー部材の開放と連動して駆動伝達解除位置に移動し、この駆動伝達解除手段の移動に伴い、駆動側のギアが軸方向にスライドし、伝達側のギアとの噛合が解除される。
【先行技術文献】
【特許文献】
【０００８】
【特許文献１】特開平１０−２３６６８８号公報
【発明の概要】
【発明が解決しようとする課題】
【０００９】
ここで、駆動側のギアをスライドさせて駆動伝達を解除するシート搬送装置において、ギアが平歯ギアの場合、駆動側のギアが移動する際、駆動側のギアの歯は伝達側のギアの歯と接触しないため駆動側のギアを容易にスライドさせることができる。
【００１０】
昨今、シート搬送装置において静音化が求められており、静音化のため、例えば回転部材である平歯ギアの代わりに駆動伝達を歯面が回転軸線に対して斜めに切られているはす歯ギアを用いたり、ベルトとプーリを用いて駆動を伝達したりする場合がある。しかし、はす歯ギアを用いた場合、駆動伝達解除のため駆動側のギアをスライドさせる際、駆動側のギア歯面と伝達側のギア歯面は、互いに歯面が斜めに切られているため、駆動側のギアを回転させながらでないと、駆動側のギアをスライドさせることができない。このため、ギアをスライドさせるためには、大きな力が必要になる。
【００１１】
また、ベルトとプーリを用いて駆動を伝達する場合、駆動伝達解除を行うためにはベルトを回転させるための回転部材であるプーリを軸方向にスライドさせる必要があるが、この際、ベルトが架かっている相手側のプーリもベルトと一緒に移動させる必要がある。このように、ベルトとプーリを用いて駆動を伝達する構成の場合、駆動伝達解除には、少なくとも２つのプーリとベルトを移動させる必要があり、駆動伝達解除手段が複雑になる。また、ベルトとプーリを移動させるための領域が必要となり、シート搬送装置が大型化する。このように、ギアやプーリのような回転部材を移動させて駆動伝達解除を行う場合は、大きな力が必要になったり、駆動伝達解除手段が複雑になったりする。
【００１２】
そこで、本発明は、このような現状に鑑みてなされたものであり、ギアやプーリのような回転部材を移動させることなく駆動伝達解除を行うことのできるシート搬送装置、画像読取装置及び画像形成装置を提供することを目的とするものである。
【課題を解決するための手段】
【００１３】
本発明は、シート搬送装置において、シートを搬送する搬送回転体と、前記搬送回転体を駆動する駆動手段と、前記駆動手段の駆動を前記搬送回転体に伝達する駆動伝達手段と、を備え、前記駆動伝達手段は、前記駆動手段により回転する第１回転部材と、前記搬送回転体と共に回転する第２回転部材と、前記第１回転部材及び前記第２回転部材が、互いに独立して回転可能に支持される軸と、前記軸に軸方向に移動可能に設けられ、前記第１回転部材と一体的に回転する駆動伝達部材と、前記駆動伝達部材を、前記第２回転部材と係合して前記第１回転部材の回転を前記第２回転部材に伝達する駆動伝達位置及び前記第２回転部材との係合が解除されて前記第２回転部材への前記第１回転部材の回転の伝達を解除する駆動伝達解除位置に移動させる移動手段と、前記搬送回転体により搬送されるシートが通過するシート搬送路を開放するために開閉可能な開閉部材と、を備え、前記移動手段は、前記開閉部材が閉められた状態のとき前記駆動伝達部材を前記駆動伝達位置に保持し、前記開閉部材が開放される際、前記開閉部材の開放に連動して前記駆動伝達部材を前記駆動伝達位置から前記駆動伝達解除位置に移動することを特徴とするものである。
【発明の効果】
【００１４】
本発明のように、駆動手段の回転を回転部材に伝達する駆動伝達部材を駆動伝達位置から駆動伝達解除位置に移動させることにより、回転部材を移動させることなく駆動伝達解除を行うことができる。
【図面の簡単な説明】
【００１５】
【図１】本発明の第１の実施の形態に係る画像読取装置を備えた画像形成装置を模式的に示す断面図。
【図２】上記画像読取装置に設けられたＡＤＦの構成を説明する図。
【図３】上記ＡＤＦの制御ブロック図。
【図４】上記ＡＤＦの外装カバーを開いたときの状態を示す図。
【図５】上記ＡＤＦに設けられた駆動機構を説明する図。
【図６】上記駆動機構の駆動伝達機構を説明する図。
【図７】上記駆動伝達機構の分解斜視図。
【図８】（ａ）は上記駆動伝達機構が駆動伝達状態のときの斜視図、（ｂ）は上記駆動伝達機構が駆動伝達状態のときの側面図。
【図９】（ａ）は上記駆動伝達機構が駆動伝達解除状態のときの斜視図、（ｂ）は上記駆動伝達機構が駆動伝達解除状態のときの側面図。
【図１０】上記駆動伝達機構の他の構成を説明する分解斜視図。
【図１１】（ａ）は上記駆動伝達機構が駆動伝達状態のときの側面図、（ｂ）は上記駆動伝達機構が駆動伝達解除状態のときの側面図。
【発明を実施するための形態】
【００１６】
以下、本発明の実施の形態について図面を参照しながら説明する。図１は、本発明の第１の実施の形態に係るシート搬送装置を備えた画像読取装置を有する画像形成装置を模式的に示す断面図である。図１に示すように、画像形成装置１００はシートである原稿Ｄの画像を読み取る画像読取装置１０１と、画像読取装置１０１で読み取られた原稿画像をシートＰに形成可能な画像形成部１２０等を有する画像形成装置本体１００Ａとを備えている。
【００１７】
画像読取装置１０１は、画像読取装置本体であるスキャナ部１０２と、スキャナ部１０２の上部に開閉自在に設けられたシート搬送装置であるＡＤＦ１０３を備えている。スキャナ部１０２には、光を原稿に投射するランプ、反射笠、原稿からの反射光を光電素子５まで導き、かつ縮小していく縮小光学系を含んだ画像読み取り手段であるスキャナユニット３が副走査方向に移動可能に設けられている。ＡＤＦ１０３は、原稿積載トレイ１５に積載された原稿Ｄを分離し、分離した原稿Ｄをスキャナ部１０２の上面に設けられた流し読みガラス２の上方を通過させるためのものである。そして、このように原稿Ｄが流し読みガラス２の上方を通過する際、スキャナユニット３は原稿画像を読み取る。
【００１８】
画像形成装置本体１００Ａは、画像形成部１２０と、画像形成部１２０に給紙カセット１４１に収納されたシートＰを給送するシート給送部１４０と、画像形成部１２０にマルチトレイ１４２ａに載置されたシートを給送する手差し給紙部１４２とを有している。なお、マルチトレイ１４２ａは、装置本体１００Ａを開閉するように設けられており、使用されるとき、開いて使用される。さらに画像形成装置本体１０１Ａは、画像が形成されたシートＰを画像形成装置本体１０１Ａと画像読取装置１０１との間に形成された排紙空間Ｓに排出する排出ローラ対１１２等を有している。
【００１９】
画像形成部１２０は、トナー像が形成される感光体ドラム１０８、感光体ドラム１０８にレーザ光を照射するレーザスキャナユニット１０９、トナー像をシートＰに転写する転写ローラ１１０、トナー像をシート上に定着させる定着部１１１等を有している。シート給送部１４０は、給紙カセット内のシートＰを給送する給送ローラ１４３と、シートＰを１枚ずつに分離しながら搬送する分離ローラ対１４４とを有している。
【００２０】
次に、このような構成の画像形成装置１００の画像形成動作について説明する。不図示の制御部から画像読取装置１０１に画像読取信号が出力されると、後述する流し読みモードの場合、ＡＤＦ１０３により原稿Ｄが搬送され、原稿はスキャナユニット３により読み取られる。不図示の制御部は、読み取った原稿画像（画像情報）を電気信号に変換し、電気信号に基づいて画像データ（画像読取情報）を作成する。
【００２１】
この後、レーザスキャナユニット１０９から、この画像データに応じたレーザ光が感光体ドラム１０８に照射される。このとき、感光体ドラム１０８の表面は、帯電器１０８ａにより予め帯電されており、レーザ光が照射されることで静電潜像が形成され、続いて静電潜像を不図示の現像部によって現像することにより、感光体ドラム１０８上にトナー像が形成される。
【００２２】
一方、感光体ドラム１０８へのトナー像の形成動作に並行して、制御部から給紙信号がシート給送部１４０又は手差し給紙部１４２に出力される。これにより、給紙カセット１４１に収納されたシートＰが給送ローラ１４３により給送され、マルチトレイ１４２ａに載置されたシートは手差し給送ローラ１４２ｂにより給送される。給送ローラ１４３により給送されたシートＰは、分離ローラ対１４４により１枚ずつに分離されて搬送され、この後、搬送ローラ１４６によりレジストレーションローラ対１４７に搬送される。また、手差し給送ローラ１４２ｂにより給送されたシートＰは、分離ローラ対１４２ｃにより１枚ずつに分離されて搬送され、この後、搬送ローラ１４６によりレジストレーションローラ対１４７に搬送される。
【００２３】
そして、シートＰは、レジストレーションローラ対１４７により斜行が補正された後、感光体ドラム１０８上のトナー像と同期がとられて感光体ドラム１０８と転写ローラ１１０との間に供給される。これにより、シートＰには、転写ローラ１１０によって感光体ドラム上のトナー画像が転写され、この後、シートＰは定着部１１１へ搬送され、定着部１１１で加熱と加圧を受けて表面にトナー画像を定着される。そして、トナー画像が定着されたシートＰは、排出ローラ対１１２により排紙空間Ｓの底面に設けられた胴内排出トレイ１１３に排出される。
【００２４】
また、シートの両面に画像が形成される場合、排出ローラ対１１２のスイッチバック搬送によって反転搬送されて、再送パス１０７を搬送され、再度、画像形成部１２０へ送り込まれる。シートは、画像形成部１２０において、裏面にトナー画像が転写され、このトナー画像は、定着部１１１でシートに定着される。この後、シートは、排出ローラ対１１２により胴内排出トレイ１１３に排出される。
【００２５】
図２はＡＤＦの構成を説明する図であり、図２に示すようにＡＤＦ１０３は、原稿積載トレイ１５上の原稿を１枚ずつ分離してスキャナ部１０２の流し読みガラス２に向けて給送する分離給紙部１１を備えている。分離給紙部１１は、原稿積載トレイ１５に積載された原稿Ｄを給送する原稿給送ローラ１８、原稿給送ローラ１８により給送された原稿Ｄを１枚ずつに分離する搬送ローラ１９とリタードローラ２０とにより構成される分離ローラ対１９，２０を備えている。また、分離給紙部１１は、分離ローラ対１９，２０により分離された原稿Ｄを搬送する搬送ローラ対２５１、原稿Ｄの斜行を補正するレジストレーションローラ対２５２を有している。
【００２６】
また、ＡＤＦ１０３は、原稿を流し読みガラス２の上面に沿って通過させる案内ローラ１２１、搬送ローラ対１２３を有する搬送部１２を備えている。また、ＡＤＦ１０３は、流し読みガラス２の上面を通過した原稿を排出する正逆転可能な排出ローラ対１３１を有する排出部１３、排出部１３から排出された原稿が積載される排紙トレイ１６を備えている。
【００２７】
また、ＡＤＦ１０３は、排出ローラ対１３１の正逆転によりスイッチバック搬送されて表裏反転した原稿を、再度、分離給紙部１１に送り込み、流し読みガラス２の上面に給送するスイッチバック部１４を備えている。なお、原稿積載トレイ１５は、原稿が分離給紙部１１に滑り込み易くなるよう原稿の給送方向Ｈの上流側よりも下流側が低く傾斜すると共に、排紙トレイ１６の上方に空間を確保できるように設けられている。なお、スキャナ部１０２の上面には第１流し読みガラス２と、第１流し読みガラス２と副走査方向に並んで配置された原稿台ガラス４が設けられている。
【００２８】
本実施の形態において、画像読取装置１０１は、ユーザによって選択された、流し読みモード（ＡＤＦ原稿読取モード）と、固定読みモード（原稿台ガラス原稿読取モード）とのいずれかのモードによって原稿を読み取るようになっている。流し読みモードは、ＡＤＦ１０３により原稿を、スキャナユニット３の上方を通過させることにより、原稿画像を読み取るモードである。また、固定読みモードは、ユーザにより、原稿台ガラス４に載置された原稿の画像を、スキャナユニット３を副走査方向に移動させながら読み取るモードである。
【００２９】
なお、ＡＤＦ１０３は、原稿台ガラス４が手前側から開閉可能となるように、奥側に配設された不図示のヒンジ部によりスキャナ部１０２に対して上下方向に開閉（回動）可能に支持されている。そして、固定読みモードの場合は、ＡＤＦ１０３を上方回動することにより、原稿台ガラス４の上方を開放して原稿台ガラス上に原稿を載置する。そして、ユーザにより、原稿台ガラス４に載置された原稿の画像を、スキャナユニット３を副走査方向に移動させながら読み取る。
【００３０】
図３は、ＡＤＦ１０３の制御ブロック図である。図３に示すように、制御手段である制御部３００には、原稿積載トレイ１５上の原稿の有無を検知する原稿検知センサ３０１、原稿がレジストレーションローラ対２５２に達したことを検知するレジセンサ３０２が接続される。また、制御部３００には原稿がレジストレーションローラ対２５２を通過したことを検知するリードセンサ３０３、画像が読み取られた原稿が排紙トレイ１６に排紙されたこと検知する排紙センサ３０４が接続される。
【００３１】
また、制御部３００には、レジストレーションローラ対２５２等を駆動する駆動手段であるモータ３１と、モータ３１の回転を搬送ローラ１９及び原稿給送ローラ１８に伝達する給紙クラッチ３０５が接続される。また、制御部３００には、レジストレーションローラ対２５２を、後述するように原稿の斜行を補正した後、所定のタイミングで回転させるレジクラッチ３０６と、後述する外装カバー１０の開閉を検知する開閉検知センサ３０７が接続されている。そして、制御部３００は原稿検知センサ３０１、レジセンサ３０２等の検知信号に基づいて給紙クラッチ３０５等の作動、モータ３１等の駆動を制御する。
【００３２】
次に、このような構成の画像読取装置１０１による流し読みモードにおける画像読取動作について既述した図２を用いて説明する。流し読みモードの場合は、まず原稿積載トレイ１５上に載置された原稿を、原稿給送ローラ１８により給送した後、搬送ローラ１９とリタードローラ２０により構成される分離ローラ対１９，２０に搬送する。原稿が重なっている場合、リタードローラ２０が原稿の搬送を阻止し、搬送ローラ１９が原稿を１枚だけ搬送する。搬送された原稿は、シート搬送路２５に進入した後、搬送ローラ対２５１により、静止状態のレジストレーションローラ対２５２のニップ部まで搬送される。
【００３３】
原稿は、先端をレジストレーションローラ対２５２のニップ部に当接させた状態で停止し、この後、先端がレジストレーションローラ対２５２のニップ部に倣うことにより傾きが解消され、斜行が補正される。斜行補正後、所定のタイミングでレジクラッチ３０６が作動し、レジストレーションローラ対２５２が回転する。なお、本実施の形態において、レジクラッチ３０６が作動すると、レジストレーションローラ対２５２だけでなく、案内ローラ１２１、搬送ローラ対１２３及び排出ローラ対１３１も回転を開始する。
【００３４】
これにより、原稿は、レジストレーションローラ対２５２、案内ローラ１２１及び搬送ローラ対１２３によって搬送され、流し読みガラス２の上面を通過する。この際、スキャナユニット３による原稿の画像読取が行われ、画像が読取られた後、原稿は排出ローラ対１３１によって、排紙トレイ１６に排出される。
【００３５】
原稿の裏面に形成された画像を読み取る場合は、表面の画像を読み取った後、原稿を排出ローラ対１３１の正逆転によりスイッチバック搬送して再度、分離給紙部１１に送り込み、流し読みガラス２の上面に通過させる。
【００３６】
ところで、図４に示すように、ＡＤＦ１０３の装置本体としてのＡＤＦ本体１０３Ａには開閉部材としての外装カバー１０が回動支点１０ｃを中心に矢印Ｂ及び矢印Ｃ方向に回動自在に設けられている。この外装カバー１０の底面には上ガイド板２５ａが設けられており、外装カバー１０を閉めると、上ガイド板２５ａと、ＡＤＦ本体１０３Ａの上部に設けられた下ガイド２５ｂとにより、既述した図２に示すシート搬送路２５が形成される。外装カバー１０を矢印Ｂ方向に回動させると、下ガイド２５ｂの上方部分が開放されるので、シート搬送路２５においてジャムした原稿を容易に取り除くことができる。また、シート搬送路２５のメンテナンスも容易に行うことができる。
【００３７】
図５は、搬送ローラ対２５１、搬送ローラ対１２３、排出ローラ対１３１、レジストレーションローラ対２５２を駆動する駆動機構を説明する図である。図５に示すように、モータ３１の回転軸にはモータプーリ３１ａが取り付けられており、このモータプーリ３１ａと、第１プーリ４２ａには第１駆動ベルト４１が巻き付けられている。第１プーリ４２ａには回転部材である駆動ギア４２が取り付けられており、この駆動ギア４２には第１回転部材である駆動伝達ギア３２と、駆動伝達ギア列４３を構成するアイドラギア４３ａが噛合している。なお、駆動伝達ギア列４３は、駆動ギア４２の回転を、第２駆動ベルト４５を介して搬送ローラ対２５１に伝達するものである。
【００３８】
ここで、駆動伝達ギア３２は、図６に示すように搬送回転体の一例である搬送ローラ対１２３のローラ軸１２３ａに独立して回転可能に取り付けられており、駆動ギア４２が回転すると、駆動伝達ギア３２はローラ軸１２３ａを中心に独立して回転する。このローラ軸１２３ａには搬送ローラ対１２３等を回転させる第２回転部材である駆動伝達プーリ３３が固着されており、駆動伝達ギア３２の回転は、後述する駆動伝達機構４０により駆動伝達プーリ３３に伝達される。
【００３９】
駆動伝達プーリ３３と第２プーリ４４ａにはレジストレーションローラ対２５２に駆動を伝達する第３駆動ベルト４４が巻き付けられている。また、図５に示すように、搬送ローラ対１２３のローラ軸１２３ａの駆動伝達プーリ３３と反対側の端部には、第３プーリ３３ａ１が取り付けられている。この第３プーリ３３ａ１と第４プーリ３３ａ２には排出ローラ対１３１に駆動を伝達する第４駆動ベルト４６が巻き付けられている。
【００４０】
このように構成することにより、モータ３１が回転すると、モータ３１の回転は、図５に示す第１駆動ベルト４１により駆動ギア４２に伝達され、駆動ギア４２の回転は、駆動伝達ギア３２と駆動伝達ギア列４３のアイドラギア４３ａに伝達される。アイドラギア４３ａに伝達された駆動ギア４２の回転は、第２駆動ベルト４５を介して搬送ローラ対２５１に伝達され、搬送ローラ対２５１が原稿搬送方向に回転する。
【００４１】
駆動伝達ギア３２に伝達された駆動ギア４２の回転は、駆動伝達プーリ３３に伝達される。なお、駆動伝達プーリ３３とレジストレーションローラ対２５２を構成する搬送ローラ２５２ａの軸２５２ｂの間には、既述した図３に示すレジクラッチ３０６が配置されている。そして、このレジクラッチ３０６の作動により、駆動伝達プーリ３３の回転は、所定のタイミングで第３駆動ベルト４４を介してレジストレーションローラ対２５２に伝達される。これにより、レジストレーションローラ対２５２は、原稿の斜行を補正した後、回転する。さらに、駆動ギア４２の回転は、駆動伝達プーリ３３を介してローラ軸１２３ａに伝達されて搬送ローラ対１２３が回転する。また、ローラ軸１２３ａの回転は第４駆動ベルト４６を介して排出ローラ対１３１に伝達され、排出ローラ対１３１が回転する。
【００４２】
図７は、駆動伝達ギア３２の回転を駆動伝達プーリ３３に伝達する駆動伝達手段である駆動伝達機構４０の構成を説明する分解斜視図である。駆動伝達機構４０は、駆動伝達ギア３２の回転を駆動伝達プーリ３３に伝達するカップリング機構３４と、カップリング機構３４による駆動伝達ギア３２の回転伝達を解除する駆動伝達解除レバー３５を備えている。
【００４３】
カップリング機構３４は、ローラ軸１２３ａにそれぞれ同軸上に取り付けられる駆動係合爪３７と、レバー連結部材３８と、付勢バネ３９とにより構成される。駆動伝達部材である駆動係合爪３７は、駆動伝達ギア３２の回転を駆動伝達プーリ３３に伝達するためのものであり、駆動係合爪３７の軸方向の一端には複数（３つ）の係合片３７ａが形成されている。
【００４４】
駆動伝達ギア３２には駆動係合爪３７の係合片３７ａを挿通させるための開口部である挿通穴３２ａが形成されている。駆動伝達ギア３２の挿通穴３２ａは、駆動係合爪３７の係合片３７ａと同数且つ、同位相で形成されており、係合片３７ａを挿通穴３２ａに挿通すると、係合片３７ａの軸方向の一端部である先端部が駆動伝達ギア３２から突出する。
【００４５】
駆動伝達プーリ３３には、駆動伝達ギア３２から突出した駆動係合爪３７の係合片３７ａの先端部が入り込む開口部３３ｂと、入り込んだ係合片３７ａの先端部と係合する係合リブ３３ａが係合片３７ａと同数設けられている。そして、係合片３７ａの先端部が駆動伝達プーリ３３の開口部３３ｂに入り込んだ状態で駆動伝達ギア３２が回転して駆動係合爪３７が回転すると、係合片３７ａにより係合リブ３３ａが押圧されて駆動伝達プーリ３３が回転する。
【００４６】
このように、係合片３７ａが駆動伝達プーリ３３の開口部３３ｂに入り込んだ状態で駆動ギア４２が回転すると、駆動伝達ギア３２が回転し、この回転は駆動係合爪３７を介して駆動伝達プーリ３３に伝達され、駆動伝達プーリ３３が回転する。なお、後述するように駆動係合爪３７の係合片３７ａが駆動伝達プーリ３３の開口部３３ｂから抜けると、駆動ギア４２が回転しても、駆動ギア４２の回転は駆動伝達プーリ３３には伝達されないので、駆動伝達プーリ３３は回転することはない。
【００４７】
支持部材であるレバー連結部材３８は、駆動係合爪３７を支持するためのものである。なお、駆動係合爪３７の係合片３７ａが形成されている側と反対側には係止片３７ｂが形成されている。そして、この係止片３７ｂを、レバー連結部材３８に設けられた被係止部３８ｂに弾性的に係止することにより、駆動係合爪３７はレバー連結部材３８に支持されると共に、レバー連結部材３８と一体的に移動する。
【００４８】
付勢手段である付勢バネ３９はレバー連結部材３８と駆動係合爪３７との間に設けられ、駆動係合爪３７を、レバー連結部材３８に対し、軸方向に相対移動可能に駆動伝達プーリ３３に向けて付勢するためのものである。そして、この付勢バネ３９により付勢された駆動係合爪３７は駆動伝達ギア３２から弾性的に突出し、これにより駆動係合爪３７を駆動伝達プーリ３３と係合させることができる。以下、このように付勢バネ３９により駆動係合爪３７が付勢される方向を突出方向という。また、付勢バネ３９によって駆動係合爪３７を付勢することにより、駆動伝達中に駆動係合爪３７が駆動伝達プーリ３３から抜けるのを防止することができる。
【００４９】
ここで、駆動係合爪３７の係合片３７ａを突出させて駆動伝達プーリ３３の開口部３３ｂに入り込ませる際、係合片３７ａが係合リブ３３ａに突き当たることがある。この場合、駆動係合爪３７は、付勢バネ３９を圧縮させながら突出方向とは逆の駆動伝達プーリ３３への駆動ギア４２の回転の伝達を解除する方向である退避方向に移動するので、駆動係合爪３７や駆動伝達プーリ３３が破損することはない。なお、付勢バネ３９により突出方向に付勢されても、駆動係合爪３７は係止片３７ｂをレバー連結部材３８に設けられた被係止部３８ｂに係止することにより、レバー連結部材３８から抜けることなく支持される。
【００５０】
また、駆動係合爪３７が退避方向に移動した後、駆動伝達ギア３２が回転して駆動係合爪３７が回転すると、係合リブ３３ａに対する突き当りが解除される。そして、突き当りが解除されると、駆動係合爪３７は付勢バネ３９の復元力により係合片３７ａが駆動伝達プーリ３３の開口部３３ｂに入り込む駆動伝達位置に移動し、駆動の伝達が可能となる。
【００５１】
なお、本実施の形態において、係合片３７ａの先端部は突出方向下流側の方が突出方向上流側よりも狭くなるように形成されたテーパ面を有している。これにより、駆動伝達ギア３２の回転に伴い、確実に駆動係合爪３７の係合片３７ａを駆動伝達プーリ３３の開口部３３ｂに入り込ませることができる。
【００５２】
レバー連結部材３８は、駆動伝達解除レバー３５と係合する鍔形状のレバー係合リブ３８ａが形成されている。そして、後述するように駆動伝達解除レバー３５が揺動すると、レバー連結部材３８はレバー係合リブ３８ａを介して駆動伝達解除レバー３５により押圧され、駆動係合爪３７と一体的に軸方向に移動する。つまり、本実施の形態において、この連動部材である駆動伝達解除レバー３５と、レバー連結部材３８とにより、駆動係合爪３７を移動させる移動手段４０Ａが構成される。
【００５３】
駆動伝達解除レバー３５は、ローラ軸１２３ａと直交する揺動軸３５ｂを中心に揺動可能に設けられている。この駆動伝達解除レバー３５の一方の揺動端である上端の上面には、外装カバー１０を閉める際、後述する図８に示す外装カバー１０の押込部１０ａにより押圧される押当部３５ｄが形成されている。駆動伝達解除レバー３５の上端部には、一端が不図示のフレームに取り付けられた連動部材付勢手段であるレバー付勢バネ３６の他端が取り付けられるバネ取付部３５ａが設けられている。駆動伝達解除レバー３５の他方の揺動端部である下端部の側面にはレバー連結部材３８のレバー係合リブ３８ａと係合する係合部３５ｃが設けられている。なお、この係合部３５ｃは、対向して形成された第１押圧部３５１及び第２押圧部３５２を有しており、この第１押圧部３５１及び第２押圧部３５２の間にレバー連結部材３８のレバー係合リブ３８ａが入り込んでいる。
【００５４】
この駆動伝達解除レバー３５は、後述する図８に示すように、押当部３５ｄが外装カバー１０の押込部１０ａにより押圧されると、レバー付勢バネ３９に抗して揺動軸３５ｂを中心に駆動係合爪３７を突出方向に移動させる第１方向（αの方向）に揺動する。また、駆動伝達解除レバー３５は、後述する図９に示すように、外装カバー１０の押込部１０ａによる押圧が解除されると、レバー付勢バネ３９の復元力により揺動軸３５ｂを中心に駆動係合爪３７を退避方向に移動させる第２方向（Ｃの方向）に揺動する。
【００５５】
次に、このように構成された駆動伝達機構４０の駆動伝達動作について図８を用いて説明する。図８の（ａ）は、外装カバー１０が閉められた状態のとき、すなわち駆動伝達機構４０が駆動伝達状態のときの斜視図、図８の（ｂ）は駆動伝達機構４０が駆動伝達状態のときの左側面図である。
【００５６】
図８に示すように、外装カバー１０の底面には、押込部１０ａが設けられており、外装カバー１０が閉められるとき、押込部１０ａにより駆動伝達解除レバー３５の押当部３５ｄが上方から押し込まれる。なお、押込部１０ａにより押圧される押当部３５ｄの上面は、揺動軸３５ｂからの距離が遠い端部よりも揺動軸３５ｂからの距離が短い端部の方が低くなるように傾斜している。これにより、外装カバー１０が閉められる際、押当部３５ｄが押し込まれると、駆動伝達解除レバー３５は、レバー付勢バネ３９の付勢力に抗して揺動軸３５ｂを支点として第１方向に揺動する。
【００５７】
このように駆動伝達解除レバー３５が第１方向に揺動する際、駆動伝達解除レバー３５の第２押圧部３５２がレバー連結部材３８のレバー係合リブ３８ａを突出方向に押圧する。これにより、駆動係合爪３７はレバー連結部材３８と一体的に軸方向に移動し、駆動係合爪３７の係合片３７ａの先端部が駆動伝達ギア３２の挿通穴３２ａから突出し、駆動伝達プーリ３３の開口部３３ｂに入り込む駆動伝達位置に移動する。
【００５８】
この後、外装カバー１０が閉められると、駆動伝達解除レバー３５は、図８の（ａ）に示す駆動係合爪３７を駆動伝達位置に位置させる第２位置に移動する。なお、レバー付勢バネ３９の付勢力に抗して閉められた外装カバー１０は、閉められた際、外装カバー１０の押込部１０ａが、規制部を構成する押当部３５ｄの側面に圧接するようになるので駆動伝達解除レバー３５は、第２位置に保持される。
【００５９】
このように、外装カバー１０を閉じると、駆動伝達解除レバー３５が揺動軸３５ｂを中心に第１方向に揺動し、これに連動して駆動係合爪３７はレバー連結部材３８と一体的に突出方向に移動して駆動伝達位置に移動する。これにより、駆動伝達ギア３２と駆動伝達プーリ３３は駆動係合爪３７を介して駆動伝達状態になる。この状態で、モータ３１を回転させると、駆動伝達ギア３２と同期して駆動伝達プーリ３３が回転し、搬送ローラ対１２３、レジストレーションローラ対２５２等が回転する。
【００６０】
次に、例えば搬送ローラ対２５１、レジストレーションローラ対２５２等に挟持された状態でジャムした原稿を取り出すために駆動伝達機構４０による駆動伝達を解除する動作について図９を用いて説明する。図９の（ａ）は外装カバー１０が開放された状態のとき、すなわち駆動伝達機構４０が駆動伝達解除状態のときの斜視図、図９の（ｂ）は駆動伝達機構４０が駆動伝達解除状態のときの側面図である。
【００６１】
外装カバー１０が開放されると、外装カバー１０の押込部１０ａは図９の（ｂ）に示す矢印Ａ方向に移動し、駆動伝達解除レバー３５の押当部３５ｄの外装カバー１０の押込部１０ａとの圧接が解除される。これにより、駆動伝達解除レバー３５はレバー付勢バネ３６の復元力により矢印Ｂ方向に引っ張られ、駆動伝達解除レバー３５は矢印Ｃに示す第２方向に揺動し、図９の（ａ）に示す駆動係合爪３７を駆動伝達解除位置に位置させる第１位置に移動する。
【００６２】
そして、駆動伝達解除レバー３５が第１位置に移動する際、駆動伝達解除レバー３５の第１押圧部３５１がレバー連結部材３８のレバー係合リブ３８ａを退避方向に押圧する。これにより、駆動係合爪３７はレバー連結部材３８と一体的に軸方向に移動し、駆動係合爪３７の先端部が駆動伝達プーリ３３の開口部３３ｂを抜ける駆動伝達解除位置に移動する。なお、駆動伝達解除レバー３５は、第１位置に移動すると、不図示のストッパに当接することにより、第１位置に保持される。
【００６３】
このように、外装カバー１０を開放すると、駆動伝達解除レバー３５が揺動軸３５ｂを中心に第２方向に揺動し、これに連動して駆動係合爪３７がレバー連結部材３８と一体的に退避方向に移動して駆動伝達解除位置に移動する。これにより、駆動伝達ギア３２と駆動伝達プーリ３３の駆動伝達が解除されるので、この状態で、モータ３１を回転させると、駆動伝達ギア３２は回転するが、駆動伝達プーリ３３は回転することはない。また、このように駆動伝達を解除することにより、ジャムした原稿を引き抜く際、大きな負荷が掛かることなく搬送ローラ対２５１、レジストレーションローラ対２５２等を回転させながら原稿を引き抜くことができる。
【００６４】
以上説明したように、本実施の形態では、モータ３１により回転する駆動伝達ギア３２をローラ軸１２３ａに独立して回転可能に取り付けると共に、駆動係合爪３７を移動手段４０Ａにより、駆動伝達位置及び駆動伝達解除位置に移動させるようにしている。そして、原稿がジャムした際、外装カバー１０を開放すると、駆動係合爪３７が駆動伝達位置から駆動伝達解除位置に移動することにより、駆動伝達ギア３２及び駆動伝達プーリ３３を移動させることなくモータ３１の駆動の伝達を解除することができる。
【００６５】
これにより、駆動ギア４２や駆動伝達ギア３２として、はす歯ギアを使用した場合でも大きな力を必要とすることなく、駆動伝達解除が可能となる。また、本実施の形態のように、ベルトとプーリを用いて駆動を伝達する構成の場合でも、プーリとベルトを移動させる必要がないので、駆動の伝達を解除するための構造の複雑化及び装置の大型化を防ぐことができる。また、駆動係合爪３７を駆動伝達解除位置にすることにより、モータ３１からの駆動伝達経路において駆動伝達ギア３２よりも下流側の駆動伝達プーリ３３への駆動伝達を解除することができる。したがって、複数の部材への駆動伝達の解除を容易に行うことができる。
【００６６】
なお、これまでの説明では、駆動係合爪３７の係合片３７ａは３つ設けられ、駆動伝達ギア３２には３つの挿通穴３２ａが、駆動伝達プーリ３３には３つの開口部３３ｂが形成されている場合について説明したが、本発明は、これに限らない。例えば、図１０に示すように、駆動係合爪３７に係合片３７ａを２つ設け、駆動伝達ギア５０には２つの係合穴５０ａを駆動係合爪３７の係合片３７ａと同位相で形成するようにする。また、駆動伝達プーリ５１には駆動係合爪３７の係合片３７ａの先端部が入り込む開口部３３ｂを２つ形成するようにしても良い。
【００６７】
なお、図１１の（ａ）は、駆動伝達機構の駆動伝達状態を示す図である。駆動伝達状態において駆動係合爪３７の係合片３７ａは駆動伝達ギア５０の係合穴５０ａと駆動伝達プーリ５１の係合穴５１ａに進入している。これにより、駆動伝達ギア５０が回転すると駆動係合爪３７の係合片３７ａを介して駆動伝達プーリ５１に駆動が伝達される。
【００６８】
図１１の（ｂ）は駆動伝達解除状態を示す図である。駆動解除状態において駆動係合爪３７の係合片３７ａは駆動伝達ギア５０の係合穴５０ａには進入しているが、駆動伝達プーリ５１の係合穴５１ａには進入していない。これにより、駆動伝達ギア５０が回転しても駆動係合爪３７の係合片３７ａを介して駆動伝達プーリ５１には駆動が伝達されないので、駆動伝達プーリ５１は回転しない。
【００６９】
図１１（ａ）、（ｂ）における、駆動伝達機構の駆動伝達状態及び駆動伝達解除状態は、既述した図７のような、駆動伝達ギア３２、駆動伝達プーリ３３の場合も同様の構成となる。即ち、図１１（ａ）、（ｂ）における、駆動伝達ギア５０は駆動伝達ギア３２、駆動伝達プーリ５１は、駆動伝達プーリ３３に置き換えることが可能である。
【００７０】
なお、これまでは第２回転部材（駆動伝達プーリ３３）を軸に固定し、第１回転部材（駆動伝達ギア３２）を軸に回転可能に設けた場合について説明したが、本発明は、これに限らない。即ち、本発明は、第１回転部材と第２回転部材が互いに独立して回転可能であれば良いので、例えば、第１回転部材を軸に回転可能に設け、第２回転部材を軸に回転可能に設けるように構成しても良い。また、これまでは本発明に係るシート搬送装置を画像読取装置に設けた場合について説明したが、本発明は、これに限らず、本発明に係るシート搬送装置を画像形成装置に設けても良い。
【符号の説明】
【００７１】
３…スキャナユニット（画像読み取り手段）、１０…外装カバー（開閉部材）、３１…モータ（駆動手段）、３２…駆動伝達ギア（第１回転部材）、３２ａ…挿通穴（開口部）、３３…駆動伝達プーリ（第２回転部材）、３３ａ…係合リブ、３３ｂ…開口部、３５…駆動伝達解除レバー（連動部材）、３５ｂ…揺動軸、３５ｃ…係合部、３５ｄ…押当部、３６…レバー付勢バネ（連動部材付勢手段）、３７…駆動係合爪（駆動伝達部材）、３７ａ…係合片、３８…レバー連結部材（支持部材）、３９…付勢バネ（付勢手段）、４０…駆動伝達機構（駆動伝達手段）、４０Ａ…移動手段、４２…駆動ギア（回転部材）、１００…画像形成装置、１０１…画像読取装置、１２０…画像形成部、１０３…ＡＤＦ（シート搬送装置）、１２３…搬送ローラ対（搬送回転体）、１２３ａ…ローラ軸、Ｄ…原稿
【図１】
0006800615.tif 000002
【図２】
0006800615.tif 000003
【図３】
0006800615.tif 000004
【図４】
0006800615.tif 000005
【図５】
0006800615.tif 000006
【図６】
0006800615.tif 000007
【図７】
0006800615.tif 000008
【図８】
0006800615.tif 000009
【図９】
0006800615.tif 000010
【図１０】
0006800615.tif 000011
【図１１】
0006800615.tif 000012